【事件の表示】
　特許第２７０１２０３号「バインダー綴具及びバインダー綴具用見出し板」の請求項１ないし８に係る特許に対する特許異議の申立てについて、次のとおり決定する。　
【結　論】
　訂正を認める。
　特許第２７０１２０３号の請求項１ないし４に係る特許を維持する。
【理　由】
［手続の経緯］
　本件特許第２７０１２０３号の特許請求の範囲の請求項１〜８に係る発明の出願は、特許法第４１条に基づく国内優先権主張を伴う平成７年１０月３１日（優先日：平成7年（１９９５）１月６日，優先権主張番号：特願平７−１５５７５号）の出願であって、平成９年１０月３日にその特許の設定登録がなされ、その後、その特許について金田克己より特許異議の申立がなされ、当審において平成１０年１２月３日に口頭審理が行われた後に平成１０年１２月２８日付けで取消理由の通知がなされたところ、その指定期間内である平成１１年３月１８日に訂正請求がなされ、さらに当審において平成１１年４月１３日付けで再度の取消理由の通知がなされたところ、その指定期間内である平成１１年７月１４日に平成１１年３月１８日付け訂正請求が取り下げられると共に再度の訂正請求がなされたものである。　
［訂正の適否についての判断］
【１】訂正の内容
（１）訂正事項ａ
　特許請求の範囲を以下のとおりに訂正する。
　「【請求項１】互いに衝合し得る複数の綴環を有する一対の長方形基板を組み合わせたルースリーフ式バインダー綴具において、前記基板のうち背面に露出した側の基板に透明樹脂にて作製された樹脂製見出し板を固着するか或は取外し自在に取付け、背面に露出した側の基板と前記見出し板との間に、見出し片を挿入可能としたことを特徴とするバインダー綴具。
　【請求項２】背面に露出した側の基板に１個以上のスナップ式受け穴を設け、前記見出し板には前記受け穴にスナップ式に嵌合する頭部を有する柱状突起を設けたことを特徴とする請求項１のバインダー綴具。
　【請求項３】背面に露出した側の基板に１個以上の貫通孔を設け、前記見出し板には前記貫通孔に嵌合する柱を設けたことを特徴とする請求項１のバインダー綴具。
　【請求項４】バインダー綴具の背面に取付けるための透明樹脂にて作製された見出し板であって、バインダー綴具の背面に対面する側に、該バインダー綴具の背面に露出した側の基板に形成された１個以上の受け穴にそれぞれ弾発的に押し入れるための頭部を有する柱状体を１個以上起立して形成したことを特徴とするバインダー綴具用見出し板。」
（２）訂正事項ｂ
　特許明細書の発明の詳細な説明中、段落【０００１】３〜４行（特許掲載公報２頁３欄１０行）の「樹脂製見出し板」を「透明樹脂製見出し板」に訂正し、段落【０００１】４〜５行（特許掲載公報２頁３欄１１〜１２行）の「所望に応じて、見出し板を透明の樹脂にて作製し、」を削除する。
（３）訂正事項ｃ
　特許明細書の発明の詳細な説明中、段落【０００６】３〜８行（特許掲載公報２頁４欄１〜８行）の「互いに衝合し得る複数の綴環を有する・・・構成とすることができる。」を「互いに衝合し得る複数の綴環を有する一対の長方形基板を組み合わせたルースリーフ式バインダー綴具において、前記基板のうち背面に露出した側の基板に透明樹脂にて作製された見出し板を固着するか或は取外し自在に取付け、背面に露出した側の基板と前記見出し板との間に、見出し片を挿入可能としたことを特徴とするバインダー綴具である。」に訂正する。
（４）訂正事項ｄ
　特許明細書の発明の詳細な説明中、段落【０００８】３〜１３行（特許掲載公報２頁４欄１８〜３１行）の「同様に、背面に露出した・・・透明樹脂にて作製される。」を「本発明の他の態様によれば、バインダー綴具の背面に取付けるための透明樹脂にて作製された見出し板であって、バインダー綴具の背面に対面する側に、該バインダー綴具の背面に露出した側の基板に形成された１個以上の受け穴にそれぞれ弾発的に押し入れるための頭部を有する柱状体を１個以上起立して形成したことを特徴とするバインダー綴具用見出し板が提供される。」に訂正する。
（５）訂正事項ｅ
　特許明細書の発明の詳細な説明中、段落【００１５】２，３行（特許掲載公報３頁５欄１８，１９行）の「受け孔」を「受け穴」に訂正する。
（６）訂正事項ｆ
　特許明細書の発明の詳細な説明中、段落【００１８】７〜８行（特許掲載公報３頁５欄４５〜４６行）の「果たすことができ、又、見出し板３０を必ずしも透明樹脂にて作製する必要はない。勿論、」を「果たすことができる。」に訂正する。
（７）訂正事項ｇ
　特許明細書の発明の詳細な説明中、段落【００１９】８行（特許掲載公報３頁６欄９〜１１行）の「従って、見出し板３０を必ずしも透明樹脂にて作製する必要はない。」を削除する。
（８）訂正事項ｈ
　特許明細書の発明の詳細な説明中、段落【００２１】６〜７行（特許掲載公報３頁６欄２５〜２６行）の「従って、見出し板３０を必ずしも透明樹脂にて作製する必要はない。勿論、」を削除する。
（９）訂正事項ｉ
　特許明細書の発明の詳細な説明中、段落【００２２】３行（特許掲載公報３頁６欄３３行）の「見出し板」を「透明樹脂製の見出し板」に訂正する。
【２】訂正の目的の適否、新規事項の有無および拡張，変更の存否
（１）訂正事項ａについて
　請求項１については、公報掲載時の請求項１を削除すると共に当該請求項１に従属していた公報掲載時の請求項２を独立形式の記載としたことに伴う訂正であり、　
　請求項２については、上記削除した請求項１及び公報掲載時の請求項２に従属していた公報掲載時の請求項３を公報掲載時の請求項２（訂正後の請求項１）にのみ従属する形式の記載としたことに伴う訂正であり、
　請求項３については、上記削除した請求項１及び公報掲載時の請求項２に従属していた公報掲載時の請求項４を公報掲載時の請求項２（訂正後の請求項１）にのみ従属する形式の記載としたことに伴う訂正であり、
　請求項４については、公報掲載時の請求項７を削除すると共に当該請求項７に従属していた公報掲載時の請求項８を独立形式の記載とし、更に、当該請求項７の「弾発的に嵌合するための頭部を有する柱状突起」との記載を特許明細書の記載（段落【００１５】参照）に沿う「弾発的に押し入れるための頭部を有する柱状体」との記載としたことに伴う訂正であり、
　何れも、特許明細書又は図面に記載された事項の範囲内で特許請求の範囲を訂正したもので、特許請求の範囲の減縮、或いは、明りょうでない記載の釈明を目的とするものであって、実質上特許請求の範囲を拡張し又は変更するものではなく、また、新規事項の追加にも該当しないから、特許法第１２０条の４第２項ただし書き第１，３号の規定に適合し、同法第１２０条の４第３項で準用する同法第１２６条第２，３項の規定に適合するものである。                      　
（２）訂正事項ｂ〜ｉについて
　これらの訂正事項は、上記訂正事項ａの訂正に伴い、それとの整合を図るために発明の詳細な説明の記載を訂正するものであり、明りょうでない記載の釈明を目的とするものであって、実質上特許請求の範囲を拡張し又は変更するものではなく、また、新規事項の追加にも該当しないから、特許法第１２０条の４第２項ただし書き第３号の規定に適合し、同法第１２０条の４第３項で準用する同法第１２６条第２，３項の規定に適合するものである。
（３）独立特許要件
　訂正後の各請求項に係る発明は、後述するように、特許出願の際独立して特許を受けることができるものであるから、特許法第１２０条の４第３項で準用する同法第１２６条第４項の規定に適合するものである。
（４）訂正の適否についてのまとめ
　以上のとおりであるから、特許明細書に対する本訂正は、特許法第１２０条の４第２項ただし書き第１，３号の規定に適合し、同法第１２０条の４第３項で準用する同法第１２６条第２，３，４項の規定に適合するので、当該訂正を認める。　
［特許異議申立について］
【１】本件発明
　訂正後の特許請求の範囲の請求項１〜４に係る発明は、［訂正の適否についての判断］の欄、【１】、（１）の「訂正事項ａ」の項に記載されたとおりである。
【２】異議申立の理由の概要
　異議申立人は証拠方法として、甲第１号証〔実願平４−７９９３２号（実開平６−３６８８１号）のＣＤ−ＲＯＭ〕，甲第２号証〔実願平２−９０４１３号（実開平４−４７５７３号）のマイクロフィルム〕，甲第３号証〔甲第３号証の１：商品名「ＬＡＢＢＲＯ」の物件、甲第３号証の２：「ＬＡＢＢＲＯ」の公然実施証明書、甲第３号証の３：「ＬＡＢＢＲＯ」の説明写真〕，甲第４号証〔甲第４号証の１：「筆入れつきノート」の物件、甲第４号証の２：「筆入れつきノート」が掲載された株式会社パイロットの「１９６８年総合カタログ」についての同社資料館長による受け入れ証明書及び当該「１９６８年総合カタログ」４６，４７頁のコピー、甲第４号証の３：「筆入れつきノート」の説明写真〕，甲第５号証〔実公昭３９−１４６３７号公報〕，甲第６号証〔ＫＥＮＫＹＵＳＨＡ’Ｓ　ＮＥＷ　ＥＮＧＬＩＳＨ−ＪＡＰＡＮＥＳＥ　ＤＩＣＴＩＯＮＡＲＹ、１９６０年１月改訂、１７０９〜１７１０頁、「ｓｎａｐ」の項〕，甲第７号証〔登録実用新案第３０１９６３９号公報〕，資料１〔本件特許第２７０１２０３号の特許掲載公報〕，資料２〔国内優先権主張の基礎出願である特願平７−１５５７５号の明細書及び図面〕，資料３〔本件特許の当初明細書及び図面としての特開平８−２３８８８２号公報〕を提出し、
（１）公報掲載時の請求項１に係る発明は、本件出願前に公知である甲第１号証或いは甲第２号証に記載された発明と同一であり、また、本件出願前に公然実施された甲第３号証或いは甲第４号証に開示された発明と同一であるから、特許法第２９条第１項第２，３号の規定により特許を受けることができないものであり、
（２）公報掲載時の請求項１〜８に係る発明は、本件出願前に公知である甲第１，２号証に記載された発明或いは本件出願前に公然実施された甲第３，４号証に開示された発明と本件出願前に公知である甲第５，６号証に記載された技術に基づいて当業者が容易に発明をすることができたものであるから、特許法第２９条第２項の規定により特許を受けることができないものであり、
（３）本件特許出願は国内優先権主張を伴う出願であるが、該出願に係る発明のうち公報掲載時の請求項１，３，４，７，８に係る発明は、資料１〜３を参酌すれば、国内優先権主張の基礎出願である特願平７−１５５７５号の出願当初の明細書又は図面に記載された発明ではなく、本件特許出願の現実の出願日である平成７年１０月３１日に出願されたものとするべきであり、そして、上記各請求項に係る発明は、その現実の出願日前の平成７年６月２０日に出願された甲第７号証に記載された発明と同一であるから、特許法第２９条の２第１項の規定により特許を受けることができないものであり、
　特許法第１１３条第１項第２号により取り消されるべきものであると主張している。
　（尚、当審における平成１０年１２月２８日付け取消理由通知の取消理由は、上記異議申立の理由３の主旨に沿うものである。）
【３】甲各号証に記載ないし開示された発明（技術）
（１）甲第１号証〔実願平４−７９９３２号（実開平６−３６８８１号）のＣＤ−ＲＯＭ〕
　内面上下位置にナット４を埋設した取付軸５を有する背部材Ａの内面に表紙版１０の背表紙１０ａを重合し、さらに、背表紙１０ａの内面に内装板１１及び互いに衝合し得る開閉自在の複数の綴杆１２を有するバインダー金具１３を順次重合し、内装板１１及びバインダー金具１３の上下位置に設けた通孔を介してねじ杆１４を挿通してナット４に螺合して組み付けてなるルースリーフ式バインダーファイルにおいて、前記背部材Ａを樹脂にて作製し、その長手方向中央位置に長手方向に延びて凹状に窪む見出し部７を設けたバインダーファイル。
（２）甲第２号証〔実願平２−９０４１３号（実開平４−４７５７３号）のマイクロフィルム〕
　主盤２に互いに衝合し得る開閉自在の複数の綴りリング３を列設してなるルースリーフ式リングバインダーの綴り金具１。
（３）甲第３号証〔甲第３号証の１：商品名「ＬＡＢＢＲＯ」の物件、甲第３号証の２：「ＬＡＢＢＲＯ」の公然実施証明書、甲第３号証の３：「ＬＡＢＢＲＯ」の説明写真〕
　甲第２号証に記載されたリングバインダーを具体化した製品であり、その綴り金具の主盤を、複数の綴りリングを列設した基板部材と、基板部材に対しネジを介して取り付けた樹脂製の背部材とで形成し、さらに、背部材の背面を平坦状に形成したリングバインダー。
（４）甲第４号証〔甲第４号証の１：「筆入れつきノート」の物件、甲第４号証の２：「筆入れつきノート」が掲載された株式会社パイロットの「１９６８年総合カタログ」についての同社資料館長による受け入れ証明書及び当該「１９６８年総合カタログ」４６，４７頁のコピー、甲第４号証の３：「筆入れつきノート」の説明写真〕
　互いに衝合し得る複数の綴環を有する基板に表紙の背表紙を重合し、さらに、背表紙の外面に背部材を重合し、リベットを介して組み付けてなるルースリーフ式バインダー綴具において、前記背部材を樹脂にて作製し、その背面を平坦状に形成したバインダー綴具。
（５）甲第５号証〔実公昭３９−１４６３７号公報〕
　複数の綴条片５を一側で連片６により一体に連接してなる肋骨状の綴具４を、各綴条片５と連片６とをそれぞれ基条板１の両側面に沿って設けた凹溝３，３に挿嵌して組み付けてなるルースリーフ式バインダー装置において、前記基条板１の背面に透明板７をその両側縁に形成した鉤縁７′，７′をそれぞれ基条板１の凹溝３，３に挿嵌して取り付け、基条板１と透明板７との間に標示板８を挿入可能としたバインダー装置。
（６）甲第６号証〔ＫＥＮＫＹＵＳＨＡ’Ｓ　ＮＥＷ　ＥＮＧＬＩＳＨ−ＪＡＰＡＮＥＳＥ　ＤＩＣＴＩＯＮＡＲＹ、１９６０年１月改訂、１７０９〜１７１０頁、「ｓｎａｐ」の項〕
　「スナップ」の語が、ばね仕掛けでパチンとはまるという意味である。
（７）甲第７号証〔登録実用新案第３０１９６３９号公報〕
　複数の半綴環１１を有する固定基板７と、前記複数の半綴環１１のそれぞれと衝合し得る複数の半綴環１３を有する可動基板９とを組み合わせたルースリーフ式バインダー綴具５において、背面に露出した側の固定基板７に透明樹脂にて作製された樹脂製背カバー１５を固着するか或は取外し自在に取付け、背面に露出した側の固定基板７と前記背カバー１５との間に、デザイン紙３７を挿入可能としたバインダー綴具５。及び、背面に露出した側の固定基板７に１個以上の孔３１を設け、前記背カバー１５には前記孔３１にスナップ式に嵌合する拡大頭部２９を有する柱状体１９を設けた前記バインダー綴具５。
　バインダー綴具５の背面に取付けるための透明樹脂にて作製された背カバー１５であって、バインダー綴具５の背面に対面する側に、該バインダー綴具５の背面に露出した側の固定基板７に形成された１個以上の孔３１にそれぞれ弾発的に押し入れるための拡大頭部２９を有する柱状体１９を１個以上起立して形成したことを特徴とするバインダー綴具５用背カバー１５。
【４】異議申立人の主張１，２，３についての検討
（１）主張１について
　訂正後の請求項１に係る発明について検討すると、甲第１〜４号証には、互いに衝合し得る複数の綴環を有するルースリーフ式バインダー綴具に関する発明が記載ないし開示されてはいるが、訂正後の請求項１に係る発明と甲第１〜４号証に記載ないし開示されたバインダー綴具とは、訂正後の請求項１に係る発明が、互いに衝合し得る複数の綴環を一対の長方形基板に列設したのに対して、甲第１〜４号証に記載ないし開示されたバインダー綴具が、互いに衝合し得る複数の綴環を単一の部材に列設したという基本的な構成の点で相違し、しかも、訂正後の請求項１に係る発明が、バインダー綴具の長方形基板に取付けた樹脂製の見出し板が透明であり、且つ、長方形基板と見出し板との間に見出し片を挿入可能としたのに対して、甲第１〜４号証に記載ないし開示されたバインダー綴具が、そのようなものではない点でも相違している。
　そして、訂正後の請求項１に係る発明は、上記の相違点に係る構成であるところの、互いに衝合し得る複数の綴環を有する一対の長方形基板を組み合わせた点、及び、互いに衝合し得る複数の綴環を有する一対の長方形基板のうち背面に露出した側の基板と透明樹脂にて作製された樹脂製見出し板との間に見出し片を挿入可能とした点を、発明を特定する事項とするものであり、当該事項を具備することにより、特許明細書に記載された格別の作用効果を奏するものと認められる。
　従って、訂正後の請求項１に係る発明が、本件出願前に公知である甲第１号証或いは甲第２号証に記載された発明と同一であるとは云えず、また、本件出願前に公然実施された甲第３号証或いは甲第４号証に開示された発明と同一であるとも云えないから、特許法第２９条第１項第２，３号の規定により特許を受けることができないものとすることはできず、当該主張１は採用できない。
（２）主張２について
　前記（１）「主張１について」の項で検討したように、甲第１〜４号証に記載ないし開示されたバインダー綴具には、訂正後の請求項１に係る発明における、互いに衝合し得る複数の綴環を有する一対の長方形基板を組み合わせた点、及び、互いに衝合し得る複数の綴環を有する一対の長方形基板のうち背面に露出した側の基板と透明樹脂にて作製された樹脂製見出し板との間に見出し片を挿入可能とした点の構成が欠如しており、また、甲第５号証に記載された発明にも上記各点の構成が欠如し、更に、甲第６号証にはスナップの意味が記載されているのみであるから、訂正後の請求項１に係る発明はもとより、これを引用しその特定事項をすべて具備する訂正後の請求項２，３に係る発明も、本件出願前に公知である甲第１，２号証に記載された発明或いは本件出願前に公然実施された甲第３，４号証に開示された発明と本件出願前に公知である甲第５，６号証に記載された技術に基づいて当業者が容易に発明をすることができたものとは云えないから、特許法第２９条第２項の規定により特許を受けることができないものとすることはできず、当該主張２は採用できない。
（３）主張３について
　本件特許出願は国内優先権の主張を伴う出願であり、そして、訂正後の請求項４に係る発明は見出し板に関する発明であるところ、当該国内優先権の主張の基礎となる先の出願〔特願平７−１５５７５号〕の出願当初の明細書又は図面（資料２）には、訂正後の請求項４に係る発明の構成要件のすべてが記載されているものと認められる（【特許請求の範囲】，段落【０００４】，段落【０００７】等の記載参照）。　
　そして、訂正後の請求項４に係る発明は見出し板に関する発明であり、基板と見出し板との間に見出し片を挿入する点が文言として構成要件に入っていないが、訂正後の請求項４に係る発明は、その構成要件として、見出し板を透明樹脂製とすると共に該見出し板を見出し板の柱状体の頭部を基板の受け穴に弾発的に押し入れて取り付けることが記載されていることからみて、見出し片を挿入可能なものであると推認できるから、基板と見出し板との間に見出し片を挿入する点が文言として構成要件に入っていないということにより直ちに国内優先権の主張の基礎となる先の出願の出願当初の明細書又は図面に記載されている事項の範囲外のものであるとすることはできない。　
（この判断は、当審における平成１１年８月１２日付け審尋書に対する平成１１年１０月１４日付け回答書に対する当審の判断でもある。）
　従って、訂正後の請求項４に係る発明については、その特許法第２９条の２本文の規定の適用の際、その出願は先の出願の時である平成７年１月６日（優先日）にされたものとみなされ、その日以後の平成７年６月２０日に出願された甲第７号証は特許法第２９条の２本文でいう他の実用新案登録出願とはなりえないから、特許法第２９条の２第１項の規定により特許を受けることができないものとすることはできず、当該主張３は採用できない。　　
【５】平成１１年４月１３日付け取消理由通知書の取消理由の概要
　当審は、平成１１年４月１３日付け取消理由通知書において刊行物１〔実願昭５１−１４４０７号（実開昭５２−１０６３１７号）のマイクロフィルム〕を引用し、平成１１年３月１８日付け訂正請求により訂正された訂正明細書の請求項４，５に係る発明は、刊行物１に記載された発明と慣用技術とに基づいて当業者が容易に発明をすることができたものであり、特許法第２９条第２項の規定により特許出願の際独立して特許を受けることができないものであって、本件訂正請求は認められないとしたうえで、公報掲載時の請求項５，６に係る発明は、上記刊行物１に記載された発明と慣用技術とに基づいて当業者が容易に発明をすることができたものであり、特許法第２９条第２項の規定により特許を受けることができないものである旨の理由を通知した。
　しかし、当該請求項５，６に係る発明に対応する発明は、平成１１年７月１４日付けの再度の訂正請求による訂正により削除され、当該取消理由は存在しないものとなった。
　また、刊行物１に記載された発明は、訂正後の請求項１〜４に係る発明における見出し板を具備しないものであるから、この刊行物１に記載された発明の存在によっても、訂正後の請求項１〜４に係る発明を、特許を受けることができないものとすることはできない。　
［むすび］
　以上のとおりであるから、異議申立の理由および証拠方法によっては、訂正後の請求項１〜４に係る発明の特許を取り消すことはできない。
　また、他に訂正後の請求項１〜４に係る発明の特許を取り消すべき理由を発見しない。
　よって、結論のとおり決定する。　　　　　　　
【異議決定日】
平成１２年２月１日（２０００．２．１）
【訂正の要旨】
訂正の要旨
（１）訂正事項ａ
　特許請求の範囲を以下のとおりに訂正する。
　「【請求項１】互いに衝合し得る複数の綴環を有する一対の長方形基板を組み合わせたルーズリーフ式バインダー綴具において、前記基板のうち背面に露出した側の基板に透明樹脂にて作製された樹脂製見出し板を固着するか或は取外し自在に取付け、背面に露出した側の基板と前記見出し板との間に、見出し片を挿入可能としたことを特徴とするバインダー綴具。
　【請求項２】背面に露出した側の基板に１個以上のスナップ式受け穴を設け、前記見出し板には前記受け穴にスナップ式に嵌合する頭部を有する柱状突起を設けたことを特徴とする請求項１のバインダー綴具。
　【請求項３】背面に露出した側の基板に１個以上の貫通孔を設け、前記見出し板には前記貫通孔に嵌合する柱を設けたことを特徴とする請求項１のバインダー綴具。
　【請求項４】バインダー綴具の背面に取付けるための透明樹脂にて作製された見出し板であって、バインダー綴具の背面に対面する側に、該バインダー綴具の背面に露出した側の基板に形成された１個以上の受け穴にそれぞれ弾発的に押し入れるための頭部を有する柱状体を１個以上起立して形成したことを特徴とするバインダー綴具用見出し板。」
（２）訂正事項ｂ
　特許明細書の発明の詳細な説明中、段落【０００１】３〜４行（特許掲載公報２頁３欄１０行）の「樹脂製見出し板」を「透明樹脂製見出し板」に訂正し、段落【０００１】４〜５行（特許掲載公報２頁３欄１１〜１２行）の「所望に応じて、見出し板を透明の樹脂にて作製し、」を削除する。
（３）訂正事項ｃ
　特許明細書の発明の詳細な説明中、段落【０００６】３〜８行（特許掲載公報２頁４欄１〜８行）の「互いに衝合し得る複数の綴環を有する・・・構成とすることができる。」を「互いに衝合し得る複数の綴環を有する一対の長方形基板を組み合わせたルーズリーフ式バインダー綴具において、前記基板のうち背面に露出した側の基板に透明樹脂にて作製された見出し板を固着するか或は取外し自在に取付け、背面に露出した側の基板と前記見出し板との間に、見出し片を挿入可能としたことを特徴とするバインダー綴具である。」に訂正する。
（４）訂正事項ｄ
　特許明細書の発明の詳細な説明中、段落【０００８】３〜１３行（特許掲載公報２頁４欄１８〜３１行）の「同様に、背面に露出した・・・透明樹脂にて作製される。」を「本発明の他の態様によれば、バインダー綴具の背面に取付けるための透明樹脂にて作製された見出し板であって、バインダー綴具の背面に対面する側に、該バインダー綴具の背面に露出した側の基板に形成された１個以上の受け穴にそれぞれ弾発的に押し入れるための頭部を有する柱状体を１個以上起立して形成したことを特徴とするバインダー綴具用見出し板が提供される。」に訂正する。
（５）訂正事項ｅ
　特許明細書の発明の詳細な説明中、段落【００１５】２，３行（特許掲載公報３頁５欄１８，１９行）の「受け孔」を「受け穴」に訂正する。
（６）訂正事項ｆ
　特許明細書の発明の詳細な説明中、段落【００１８】７〜８行（特許掲載公報３頁５欄４５〜４６行）の「果たすことができ、又、見出し板３０を必ずしも透明樹脂にて作製する必要はない。勿論、」を「果たすことができる。」に訂正する。
（７）訂正事項ｇ
　特許明細書の発明の詳細な説明中、段落【００１９】８行（特許掲載公報３頁６欄９〜１１行）の「従って、見出し板３０を必ずしも透明樹脂にて作製する必要はない。」を削除する。
（８）訂正事項ｈ
　特許明細書の発明の詳細な説明中、段落【００２１】６〜７行（特許掲載公報３頁６欄２５〜２６行）の「従って、見出し板３０を必ずしも透明樹脂にて作製する必要はない。勿論、」を削除する。
（９）訂正事項ｉ
　特許明細書の発明の詳細な説明中、段落【００２２】３行（特許掲載公報３頁６欄３３行）の「見出し板」を「透明樹脂製の見出し板」に訂正する。
（５４）【発明の名称】
バインダー綴具及びバインダー綴具用見出し板
（５７）【特許請求の範囲】
　　【請求項１】　
互いに衝合し得る複数の綴環を有する一対の長方形基板を組み合わせたルースリーフ式バインダー綴具において、前記基板のうち背面に露出した側の基板に
樹脂製
　　【請求項２】　背面に露出した側の基板に１個以上のスナップ式受け穴を設け、前記見出し板には前記受け穴にスナップ式に嵌合する頭部を有する柱状突起を設けたことを特徴とする請求項
１の
　　【請求項３】　背面に露出した側の基板に１個以上の貫通孔を設け、前記見出し板には前記貫通孔に嵌合する柱を設けたことを特徴とする請求項
１の
　　【請求項４】　バインダー綴具の背面に取付けるための
透明樹脂にて作製された
押し入れるための
柱状体
【発明の詳細な説明】
　　【発明の属する技術分野】
　【０００１】
　本発明は、互いに衝合し得る複数の綴環を有する一対の長方形基板を組み合わせたルースリーフ式バインダー綴具に関し、特に、背面に露出した側の基板に
透明
取付け、基板
　【０００２】
　　【従来の技術】
　互いに衝合する一連の綴環を有する一対の基板を扇形又は左右にスライドして開閉する型のバインダー綴具は多く提案されているが、従来市販されている綴具は、厚紙製文はプラスチック製の厚い表紙の背面部（背表紙）の内面に鋲で固定されており、見出しは通常使用されていない。見出しを使用する場合には背表紙を直接貼着するか、或いは枠状の見出し板を背表紙に融着又は鋲止めし、見出し板に見出し用紙を挿入する。
　【０００３】
　最近になって本発明者は、互いに衝合し得る複数の綴環を有する一対の長方形基板を組み合わせたルースリーフ式バインダー綴具を提案した。この綴具は、一対の基板が左右にスライドして開閉する型のバインダー綴具であって、従来のように綴具を背表紙に取りつける必要がなく、表裏面のみに固い表紙を有するルースリーフの穴を綴環に保持させ、綴具を露出して使用することが可能である。
　【０００４】
　　【発明が解決しようとする課題】
　このような露出式の綴具は、従来螺旋ばねの形のものが知られているがルースリーフの差し替えは不可能である。これに対し、上記左右にスライドして開閉する型のバインダー綴具は開閉できてルースリーフの差し替えが自由にできる利点を有するが、見出しを使用する場合には、従来のように表紙を利用できないので枠状の見出し板を綴具の基板に直接固定するほかはない。しかしながら、射出成形により枠状の見出し板を綴具の成形と同時に綴具の背面に形成することは、型抜きの面で技術的な困難があり今のところ不可能である。
　【０００５】
　本発明は、綴具を露出して使用する型のバインダー綴具において、綴具の基板の背面に見出しを取りつけることを可能にすることを目的とする。
　【０００６】
　　【課題を解決するための手段】
　上記目的は本発明に係るバインダー綴具にて達成される。要約すれば、本発明は、
互いに衝合し得る複数の綴環を有する一対の長方形基板を組み合わせたルースリーフ式バインダー綴具において、前記基板のうち背面に露出した側の基板に透明樹脂にて作製された樹脂製見出し板を固着するか或は取外し自在に取付け、背面に露出した側の基板と前記見出し板との間に、見出し片を挿入可能としたことを特徴とするバインダー綴具である。
　【０００７】
　見出し板の取りつけ手段には各種のものが考えられる。一例として、背面に露出した側の基板に１個以上のスナップ式受け穴を設け、前記見出し板には前記受け穴にスナップ式に嵌合する頭部を有する柱状突起を設けることにより、見出し板を基板に取付けることができる。
　【０００８】
　別法として、背面に露出した側の基板に１個以上の貫通孔を設け、前記見出し板には前記貫通孔に嵌合する柱を設け、頭部を高周波融着することも可能である。
　
本発明の他の態様によれば、バインダー綴具の背面に取付けるための透明樹脂にて作製された見出し板であって、バインダー綴具の背面に対面する側に、該バインダー綴具の背面に露出した側の基板に形成された１個以上の受け穴にそれぞれ弾発的に押し入れるための頭部を有する柱状体を１個以上起立して形成したことを特徴とするバインダー綴具用見出し板が提供される。
　【０００９】
　　【発明の実施の形態】
　以下、本発明に係るバインダー綴具及びバインダー綴具に使用される見出し板を図面に則して更に詳しく説明する。
　【００１０】
　図１は、本発明の一実施例に係るスライド式のバインダー綴具を示す。このバインダー綴具は、複数の衝合可能な綴環１、２を有する一対の基板３、４よりなり、両基板３、４は、図２、図３及び図４のように深い溝５とそれに嵌合する挿入板６を有し、これらが嵌合するだけで、充分に綴環１、２を閉鎖所定位置に保持することができるが、更に相互に係止する戻り止め部材７、８を一か所以上に設けて更に安定に綴環１、２の閉鎖状態を保持している。
　【００１１】
　図５及び図６は他のスライド式バインダー綴具を示し、複数の衝合可能な綴環１１、１２を有する一対の基板１３、１４よりなり、両基板は摺動板１５とそれに摺動する他の摺動板１６を有し、案内部材１９、２０により開閉を案内される。更に両端部に鈎型ロック部材２１、２２を設けることにより安定に綴環１１、１２の閉鎖状態を保持できる。なお、更に相互に係止する戻り止め部材１７、１８により更に安定に綴環１１、１２の閉鎖状態を保持できる。
　【００１２】
　これらのバインダー綴具は背表紙に取りつけないで直接ルースリーフを取りつけて使用できる。
　【００１３】
　上述の如き背面が露出される形のバインダー綴具に、以下で述べる本発明に従って構成される見出し板が使用できる。
　【００１４】
　実施例１
　図７と図８は、本発明の第１実施例を例示する。図示の基板４又は１４は複数の綴環２又は１２を有する上に述べた基板のうち背面に露出する側の基板である。この例では、基板４又は１４に、外面が凸面（平面でも良い）となった透明樹脂製の見出し板３０を使用して、見出し３１を取りつける。
　【００１５】
　見出し板３０には複数箇所にスナップ頭部を有する柱状体３３が起立しており、これらに対応して基板にはスナップ受け
穴
穴
　【００１６】
　なお、後で述べるように、見出し板３０の内面は凹所として形成し、そこに見出し３１を挿入することも可能である。この場合には柱状体３３は見出し３１を貫通する必要がなくなる。
　【００１７】
　実施例２
　図９は他の実施例を示し、背面に露出した側の基板４又は１４に１個以上の貫通孔３４を設け、貫通孔３４は座ぐり形状とする。一方、見出し板３０には貫通孔３４に対応した複数の柱３５を設け、基板４又は１４に取りつける際にそれらの頭部を溶融して拡大し、又はかしめる。このようにして、図示するように、基板４又は１４の背面に見出し３１を介して見出し板３０を取りつけることができる。勿論、この場合には見出し板３０は透明樹脂にて作製される。
　【００１８】
　実施例３
　図１０を参照すると、図９に示す実施例２おいては見出し板３０と柱３５は一体であったが、この例では見出し板３０に座ぐり形状の貫通孔３６を形成し、ここに鋲３７を挿入する。これを実施例２と同様にしてかしめ、基板４又は１４に取りつける。この実施例では、見出し板３０は、見出し３１を介さずに直接基板４又は１４に固着されるが、この場合には、見出し板３０自体が見出しとしての機能を果たすことが
できる。実施例２
　【００１９】
　実施例４
　図１１は、更に他の実施例を示し、背面に露出した側の基板４又は１４に１個以上の螺子孔３８を設け、一方、見出し板３０には貫通孔３８に対応した複数の座ぐり形状の貫通孔３６を設け、そこに止め螺子３９を挿入する。基板４又は１４に取りつける際にそれらの螺子３９を螺子孔３８に螺子込む。この実施例においても、見出し板３０は、見出し３１を介さずに直接基板４又は１４に固着されているが、この場合には、見出し板３０自体が見出しとしての機能を果たすことが
できる。
　【００２０】
　なお、実施例２と同様に、見出し板３０を透明樹脂にて作製し、基板４又は１４の背面に見出し３１を介して見出し板３０を配置する場合には、見出し３１を嵌め込む浅い凹所４０を形成することにより螺子３９の部分を回避して見出し３１を挿入するようにしても良い。
　【００２１】
　実施例５
　図１２は、更に他の例を示す。この例では見出し板３０に浅い凹所４０が形成されており、基板４又は１４には穴がない。見出し板３０の内面には接着剤層４１が施されている。この実施例では、見出し板３０は、見出し３１を介さずに直接基板４又は１４に接着されているが、この場合には、見出し板３０自体が見出しとしての機能を果たすことが
できる。実施例２
　【００２２】
　　【発明の効果】
　以上のように、本発明によると、背面が露出される形のバインダー綴具において、
透明樹脂製の
【図面の簡単な説明】
　　【図１】
　本発明を適用するルースリーフ綴具の一例を示す分解平面図である。
　　【図２】
　図１のＤ−Ｄ断面図である。
　　【図３】
　図１のＥ−Ｅ断面図である。
　　【図４】
　図１のＦ−Ｆ断面図である。
　　【図５】
　本発明を適用するルースリーフ綴具の他の例の分解斜視図である。
　　【図６】
　図５のＡ−Ａ断面図である。
　　【図７】
　本発明の第１実施例の見出し板を具備した綴具の部分断面図である。
　　【図８】
　本発明の第１実施例の見出し板の部分平面図である。
　　【図９】
　本発明の第２実施例の見出し板を具備した綴具の部分断面図である。
　　【図１０】
　本発明の第３実施例の見出し板の断面図である。
　　【図１１】
　本発明の第４実施例の見出し板を具備した綴具の断面図である。
　　【図１２】
　本発明の第５実施例の見出し板を具備した綴具の断面図である。
　　【符号の説明】
　１、２、１１、１２　綴環
　３、４、５、６　　　基板
　３０　　　　　　　　見出し板
　３１　　　　　　　　見出し
　３２　　　　　　　　スナップ穴
　３３　　　　　　　　スナップ頭
　３４、３６　　　　　貫通孔
　３５　　　　　　　　柱
　３７　　　　　　　　鋲
　３８　　　　　　　　螺子穴
　３９　　　　　　　　止め螺子
　４０　　　　　　　　凹所
　４１　　　　　　　　接着剤層